(57)【要約】      （修正有）【課題】磁気反応機能を持つ軟磁性体ファイバーに隠蔽性を持たせた被覆フアィバーを使用した取付具を提供する。【解決手段】磁気に反応する軟磁性体ファイバーｆ、或いは前記軟磁性フアィバーｆと、この軟磁性フアィバーｆとは異なる性質を持つフアィバーとの複合糸を芯糸材１とし、この芯糸材１の周囲にプラスチック外皮ｐを形成した被覆フアィバーＦと、この被覆フアィバーＦの一端側に第１部材ｈを、他端側に第２部材ｂをそれぞれ固定した表示札等の取付具Ｔ。【選択図】          図６
2004184774.tif 000002
【特許請求の範囲】
【請求項１】
磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定した表示札等の取付具。
【請求項２】
磁気に反応する軟磁性体ファイバーと、磁気に対する反応を非能動化させる半硬質磁性体ファイバーと、更に補強材との複合糸を芯糸材とし、この芯糸材の周囲にプラスチック外皮を形成した被覆ファイバーと、この被覆ファイバーの一端側に固定された第１部材と、他端側に固定された第２部材をそれぞれ固定した請求項１記載の表示札等の取付具。
【請求項３】
磁気に反応する軟磁性体ファイバーと、前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材を固定し、前記第１部材は薄板状の頭部を、第２部材は短い横棒部である請求項１あるいは２項に記載の表示札等の取付具。
【請求項４】
磁気に反応する軟磁性体ファイバー、或いは前記軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定し、前記第１部材は薄板状の頭部を、第２部材は短い横棒部であり、更にこの横棒部の内部に前記芯糸材が延長されている請求項３記載の表示札等取付具。
【請求項５】
磁気に反応する軟磁性体ファイバー、或いは前記軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定し、前記第１部材は薄板状の頭部を、第２部材は短い横棒部であり、更にこの横棒部の中央より頭部に向かうフィラメントが延長され、このフィラメント部に膨出部が形成され、頭部側から延長された被覆ファイバーがこの膨出部内に埋め込まれている請求項３記載の表示札等取付具。
【請求項６】
磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定しており、前記第１部材として係合雄部を、前記第２部材として挿入孔を開口した係合雌部をそれぞれ設け、前記係合雄部を係合雌部の挿入孔内に挿入し、引抜き不能にリング状に係合できる請求項１記載の表示札等取付具。
【請求項７】
磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定しており、前記第１部材として係合雄部を、前記第２部材として挿入孔を開口した係合雌部をそれぞれ設け、前記係合雄部を係合雌部の挿入孔内に挿入し、引抜き不能にリング状に係合できる表示札等取付具を複数本平行に配置し、
前記係合雄部の近傍に配置された１本の連結棒に切断可能な連結部を介して連結し、更に前記係合雌部の近傍に配置された１本の連結棒に切断可能に連結し、全体を１枚の平板状に形成した表示札取付具の集合体。
【請求項８】
磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定しており、前記第１部材として係合雄部を、前記第２部材として挿入孔を開口した係合雌部をそれぞれ設け、前記係合雄部を係合雌部の挿入孔内に挿入し、引抜き不能にリング状に係合できる表示札等取付具を複数本平行に配置し、
更に係合雄部と小間隙をあけ、この係合雄部を枕状に支えるように１本の連結棒に切断可能な連結部材で連結すると共に、係合雌部と小間隙をあけ、この係合雌部を支えるように１本の連結棒に切断可能な連結部材で連結し、全体を１枚の平板状に形成した表示札取付具の集合体。
【発明の詳細な説明】
【０００１】
【発明の属する技術分野】
本発明は、店頭の商品や公共施設の備品等が無断で持ち去られるのを防止するためのマーカー用磁性体を有する表示札等取付具に関するものである。
【０００２】
【従来の技術】
従来から、軟磁性体の交番磁界に対する磁気反応特性を利用して商品等に貼着するバーコードや価格・品質表示用のタグ、あるいは帯板片等のマーカー用磁性体を具備させると共に、交番磁界を発生する感知ゲートを出口に配置して、店頭の商品や公共施設の備品等が無断で持ち去られるのを防止する遠隔感知の盗難防止システムが利用されてきている。
【０００３】
この磁気を利用した感知システムでは、アモルファス金属材料等の高い透磁率を持ち、且つ、磁化や消磁が容易にできる軟磁性材料のマーカー用磁性体を使用し、感知ゲート側の磁界印加コイルで交番磁界を発生させ、この交番磁界内に入ったマーカー用磁性体の磁化を反転させる際に発生するバルクハウゼン効果により、感知ゲート側の検出コイル（ピックアップコイル）に電圧パルスを発生させ、この電圧パルスを検知することにより、このマーカー用磁性体の有無を非接触かつ、遠隔で検出している（例えば、特許文献１参照）。
【０００４】
また、この感知システムにおいては、このマーカー用磁性体を取り付けた店でレジ等の正規のルートを通過しても、このマーカー用磁性体が感知可能のまま、他店の同様な感知システムを通過すると警報が作動してしまう。これでは不便な場合があるので、警報の作動を防止するために、このマーカー用磁性体を感知システムで感知できなくする「失活化あるいは非能動化」を行うために、この軟磁性材料のマーカー用磁性体に、半硬質磁性材料を添わせることが行われている。
【０００５】
この半硬質磁性材料は、永久磁石材料ほどは保磁力が大きくないが適当な大きさの角型のヒステリシスループを持つ磁性材料であり、この半硬質磁性材料が磁化していない場合には、軟磁性材料のマーカー用磁性体は交番磁界により、バルクハウゼン効果を発揮し、感知システムに感知されるが、この半硬質磁性材料に強い磁界を加えて磁化した場合には、この半硬質磁性材料の磁力が感知システムの交番磁界を妨害して感知できなくなるので、レジ等の正規のルートを通過する際に、この半硬質磁性材料を磁化させて、マーカー用磁性体を失活化させることができる。
【０００６】
【特許文献１】
特開平６─１１９５６５号公報
【０００７】
この特許文献１に記載された発明は、軟質の磁性粉を結合剤とともに分散した磁性塗料を使用した乾燥塗膜を磁性検知マーカーとして使用するもので、盗難防止ラベルなどに印刷して使用するのには適している。しかし、フィラメント状に形成して使用することはできず、また、このフィラメント状材料を素材として使用する磁性検知マーカーには適用できない。また、フィラメントの表面に塗布した場合、加工が困難であり、到底、コスト的にも外観的にも商品とはならない。
【０００８】
一方、マーカー用磁性体をフィラメント状に形成し、これをバーコード用紙やタグ等の裏面側に配置することが行なわれているが、この場合には、マーカー用磁性体が簡単に剥がれてしまい、短期にその機能を果たさなくなるという問題がある。  また、このマーカー用磁性体を裏面に設けた切手形の小型のシールは、外観的に発見され易いので、盗難監視具が設けられていることが簡単に認知することが可能であり、そのために隠蔽性が薄いので人に発見され易い。
【０００９】
そして、このマーカー用磁性体が添付されていることが人に発見されると、これを剥がされたり、破損される場合があり、盗難防止機能を十分に果たすことが出来なくなるという問題がある。
【００１０】
このような事情で、店頭の商品の盗難を防止するためには、マーカー用磁性体の存在がどこに配置されているか分からないような製品とすることが重要であり、一見してその存在を認知されないような隠蔽性を持ったマーカー用磁性体を有する器材の開発が望まれていた。
【００１１】
【発明が解決しようとする課題】
そこで、本発明者等は、前記問題を解決するため、軟磁性体ファイバーを備えたセキュリティ糸とその製法を開発し、これを特願平１１−１９５９１９号として提案している。
【００１２】
本発明者等は、店頭に陳列する衣料品等に対して、値段や品質等を表示するための表示札を取り付けるために、プラスチック製延伸フィラメント等で形成された糸状連結部の一端に係合雄部を、他端に係合雌部を設けた環状連結具（商品名：ロックスとして販売されているものと同種の連結具）を製造した。
【００１３】
これは、係合雄部を表示札等の貫通孔と衣類等の生地等に形成されたボタン孔等の取付孔を通した後に、係合雌部と係合して、糸状連結部のループを形成して表示札を商品等に取り付けるようにしたものである。
【００１４】
また、本発明者等は、フィラメントの一端側に頭部を、他端側に横棒部を設けたラベル取り付具（タグピン）のフィラメントに、軟磁性体ファイバーを使用できないかどうかを検討し、ほぼ利用できることを確認した。
（軟磁性体ファイバーの構造）
前記、特願平１１−１９５９１９号の明細書に記載された糸状体は、磁性ファイバーや芯糸からなる芯材の周囲を、幅の狭い布や糸等のカバー材を巻付けて覆い、外観上は撚糸のように形成したもので、軟磁性体ファイバーはこのカバー材によって被覆された柔軟な被覆糸である。
【００１５】
従って、軟磁性体ファイバーはカバー材に保護されて指先や商品に直接接触することがなく、指先等に損傷を与えないという利点がある。
【００１６】
しかしながら、このカバー材は撚糸機による撚糸工程によって形成されるものであるので、製造工程が煩雑となる上に、撚糸スピードが紡糸スピードほど早くないので、製造コストが高価になるという問題もあった。
【００１７】
また、カバー材の材質にもよるが、吸湿性がある上に汚れ易い。その上、カバー材の一部が破損されると、これを発端としてカバー材がバラケルて見苦しいものとなる欠点があった。
【００１８】
特に、前記発明による糸状体では、撚糸工程によって軟磁性体ファイバーをカバー材で被覆する必要があることから、コストを低下させるために、この軟磁性体ファイバーのみを使用としても、この軟磁性体ファイバーの強度は余り大きくないので、これは構造上、製造が困難である。
【００１９】
本発明は、開発糸状体の持つ欠点、即ち、製造コストが高く、カバー材が露出していることによる欠点を解消したマーカー用磁性体を構成部材とする糸状体（フィラメント）を提供することを第１の目的とするものである。
【００２０】
また、マーカー用磁性体を構成部材とする糸状体を主要材料として使用した表示札等の取付具を提供することを第２の目的とするものである。
【００２１】
また、従来の取付具、即ち、糸状体の一端に係合雄部を、他端に係合雌部を設けた、環状に連結される連結具、更に、糸状体の一端に平板状の頭部を、他端に横棒部を設けた、所謂、タグピンを提供することにある。
【００２２】
【課題を解決するための手段】
本発明は、前記したような張付け形の盗難防止具の持つ隠匿性が弱い点を問題点を解決するためになされたものであって、次のように構成されている。
【００２３】
１）磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定したことを特徴としている。
【００２４】
２）磁気に反応する軟磁性体ファイバーと、磁気に対する反応を非能動化させる半硬質磁性体ファイバーと、更に補強材との複合糸を芯糸材とし、この芯糸材の周囲にプラスチック外皮を形成した被覆ファイバーと、この被覆ファイバーの一端側に固定された第１部材と、他端側に固定された第２部材をそれぞれ固定したことを特徴としている。
【００２５】
３）磁気に反応する軟磁性体ファイバーと、前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材を固定し、前記第１部材は薄板状の頭部を、第２部材は短い横棒部であることを特徴としている。
【００２６】
４）磁気に反応する軟磁性体ファイバー、或いは前記軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定し、前記第１部材は薄板状の頭部を、第２部材は短い横棒部であり、更にこの横棒部の内部に前記芯糸材が延長されていることを特徴としている。
【００２７】
５）磁気に反応する軟磁性体ファイバー、或いは前記軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定し、前記第１部材は薄板状の頭部を、第２部材は短い横棒部であり、更にこの横棒部の中央より頭部に向かうフィラメントが延長され、このフィラメント部に膨出部が形成され、頭部側から延長された被覆ファイバーがこの膨出部内に埋め込まれていることを特徴としている。
【００２８】
６）磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定しており、前記第１部材として係合雄部を、前記第２部材として挿入孔を開口した係合雌部をそれぞれ設け、前記係合雄部を係合雌部の挿入孔内に挿入し、引抜き不能にリング状に係合できることを特徴としている。
【００２９】
７）磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定しており、前記第１部材として係合雄部を、前記第２部材として挿入孔を開口した係合雌部をそれぞれ設け、前記係合雄部を係合雌部の挿入孔内に挿入し、引抜き不能にリング状に係合できる表示札等取付具を複数本平行に配置し、前記係合雄部の近傍に配置された１本の連結棒に切断可能な連結部を介して連結し、更に前記係合雌部の近傍に配置された１本の連結棒に切断可能に連結し、全体を１枚の平板状に形成した表示札取付具の集合体であることを特徴としている。
【００３０】
８）磁気に反応する軟磁性体ファイバー、或いは前記軟磁性ファイバーと、この軟磁性ファイバーとは異なる性質を持つファイバーとの複合糸を芯糸材とし、この芯糸材の周囲にプラスチック外皮を形成した被覆ファイバーと、この被覆ファイバーの一端側に第１部材を、他端側に第２部材をそれぞれ固定しており、前記第１部材として係合雄部を、前記第２部材として挿入孔を開口した係合雌部をそれぞれ設け、前記係合雄部を係合雌部の挿入孔内に挿入し、引抜き不能にリング状に係合できる表示札等取付具を複数本平行に配置し、更に、係合雄部と小間隙をあけ、この係合雄部を枕状に支えるように１本の連結棒に切断可能な連結部材で連結すると共に、係合雌部と小間隙をあけ、この係合雌部を支えるように１本の連結棒に切断可能な連結部材で連結し、全体を１枚の平板状に形成した表示札取付具の集合体であることを特徴としている。
【００３１】
本発明に係る被覆ファイバーとは、下記のものを意味している。
【００３２】
ａ）必須の構成要素として、軟磁性体ファイバーの単体あるいは、この軟磁性体ファイバーとガラスファイバーや強度の大きい合成繊維や補強テープ等の補強材を引揃えたファイバー集合体（糸束、複合糸）を素材として使用する。
【００３３】
また、前記ファイバー集合体に、更に溶着糸を加えて引き揃えたファイバー集合体で素材となる芯糸材する。なお、溶着糸が加えられている場合は、この溶着糸を溶融する温度で熱処理して素材を一本に纏まった糸条体ないしブリッスル状の芯糸材とする。
【００３４】
このファイバー集合体は、ストレート状のもの、また、軟磁性体ファイバーをストレート状に保った状態で他のファイバーを、この軟磁性体ファイバーの周囲に加撚カバーした糸などを意味する。そして、前記糸を芯糸材とし、これの外周にプラスチックの被覆を施したものである（基本的被覆ファイバー）。
【００３５】
ｂ）軟磁性体ファイバーと、消磁機能を持つ半硬質磁性ファイバーとを引揃えた金属ファイバーからなる金属双糸を必須の構成要素とし、この金属双糸の単体、あるいは、この金属双糸にガラスファイバーや強度の大きい合成繊維や、更に補強テープ等の補強材を付加して引揃えたファイバー集合体、更に、このファイバー集合体に溶着糸を付加して引揃えたファイバー集合体を素材とする。
【００３６】
また、前記ファイバー集合体の表面にガラスファイバー等の補強糸を加撚によってカバーしたファイバーを素材となる芯糸材とすることもできる。
【００３７】
そして、前記芯糸材の外周にプラスチックの被覆を施したものである（消磁機能被覆ファイバー）。
【００３８】
ｃ）軟磁性体ファイバー単体、あるいは軟磁性体ファイバーと、消磁機能を持つ半硬質磁性ファイバーとの金属双糸を使用し、更に、この金属双糸にガラスファイバー等の補強材や補強材と溶着糸を引揃えたストレート状のファイバー集合体（複合糸）を形成し、そして、このファイバー集合体の外周を補強ファイバーや補強テープ、あるいは金糸銀糸などのカバー材を、撚糸加工により表面を覆った状態の芯糸材を形成する。そして、その芯糸材の表面にプラスチックの被覆を施した被覆ファイバーである（カバー材を持つ被覆ファイバー）。
【００３９】
ｄ）被覆ファイバーを使用した製品について
前記被覆ファイバーを使用した製品は、この被覆ファイバーを重要な構成部材とするものであって、例えば、この被覆ファイバーの一方に頭部を、他方に横棒部を設けた「タグピン」と称するる係止具ないし取付具である。また、被覆ファイバーの一方に係合雄部を、他方に係合雌部を設けた取付具、所謂、「商品名：ロックス」等である。
【００４０】
また、例えば被覆ファイバーの一端に安全ピンなどの止め具を設け、他端に表示札を２枚の係合部を持つ大形のホックのようなものを設けた止め具がある。また、一端に、係合雄部と係合雌部をＶ字形にしたものを、他端にホック状の挟持部を設けた取付具等、各種の取付具に適用できることは言うまでもない。
【００４１】
この被覆ファイバーは、一見するとテグス状ないし硬めで太い糸状（ブリッスル状）のものであるので、これを直線状、コイル状、渦巻き状、スパイラル状として磁気検知手段にも応用できる。
【００４２】
【発明の実施の形態】
以下図面を参照して本発明による軟磁性体ファイバーを内蔵する被覆ファイバーの製造方法と、この被覆ファイバーを使用した表示具などの各種の取付具を説明する。
（軟磁性体ファイバーｆ）
本発明にかかる表示札等の取付部の主要部を構成しているテグス状あるいはブルッスル状の被覆ファイバーは、盗難防止装置などの検知器が発生する磁気に反応する軟磁性体ファイバーを内蔵しており、この軟磁性ファイバーは、磁化や消磁を容易にできる軟磁性の特性を示す磁性材料を原料としたものである。
【００４３】
例えば、磁界の強さが０．４Ａ／ｍ（５ｍＯｅ：ミリエルステッド），交番磁界の周波数が１ｋＨｚの励振磁界において、透磁率が１，０００以上の高透磁率を有するものが好ましく、この高透磁率の特性を示す材料には、パーマロイ、Ｆｅ−Ｓｉ系合金、アモルファス金属等がある。
【００４４】
特に、Ｃｏ−Ｆｅ−Ｓｉ−Ｂを主成分とするアモルファス金属ファイバーは、磁界の強さが０．４Ａ／ｍ（５ｍＯｅ），交番磁界の周波数が１ｋＨｚの励振磁界において、透磁率が１０，０００以上の高透磁率を示す。
【００４５】
また、Ｆｅ−Ｃｏ−Ｓｉ−Ｂを主成分とするアモルファス金属ファイバーも、バルクハウゼン効果が大きいので、これらのアモルファス金属ファイバーを使用するのが好ましい。
【００４６】
消磁、失活化ないし非能動化を行わせる半硬質磁性材料は、約８００Ａ／ｍ〔１０Ｏｅ（エルステッド）〕以上、約４０，０００Ａ／ｍ（５００Ｏｅ）以下の保磁力が必要で、種々のＦｅ合金やＣｏ合金を使用できる。中でも、Ｆｅ−Ｃｏ−Ｖ系合金やＦｅ−Ｃｏ−Ｃｒ系合金は約２，４００Ａ／ｍ（３０Ｏｅ）以上、約１２，０００Ａ／ｍ（１５０Ｏｅ）以下の優れた半硬質磁性特性を示すのでこの用途に適している。
【００４７】
前記のような性質を持つ金属材料を使用し、細線の線引き工程により直径が０．１〜０．２ｍｍφの極細の線材（軟磁性体ファイバー）を製造する。
【００４８】
前記軟磁性体ファイバーや半硬質磁性ファイバーは、磁気検知器で検知できる長さに制限があり、あまり短いものは機能しない。具体的には、５〜６ｃｍ以上の長さのものが必要であり、実際に使用する際にはこの長さのものを採用する。（被覆ファイバーＦの製造）
図１は、軟磁性体ファイバーの押出被覆工程を示すものであって、この軟磁性体ファイバーｆを含む芯糸材（芯線）１をダイス２のガイド孔に所定の速度で送入しながら、このダイス２に形成されているファイバーの被覆層を形成するプラスチックととして、例えば、６６ナイロン、ポリエステル、ポリプロピレンなど、衣料用の繊維とした場合に、十分な強度を持つ熱可塑性プラスチックを使用する。
【００４９】
前記熱可塑性プラスッチックを押出機により溶融し、ダイス２の供給孔３より供給し、ガイド孔３ａを通じてコート孔４に供給し、このコート孔４において移動している軟磁性体ファイバーｆを構成素材あるいは中心素材とする芯糸材１の周囲にプラスチックの被覆層ｐを形成して被覆ファイバーＦとする（図４参照）。
【００５０】
この被覆ファイバーＦを形成している芯糸材１の必須の構成要素である軟磁性体ファイバーｆは、通常は直径が０．１ｍｍ程度の細い金属線を使用している。この金属線は極めて繊細かつ強度が弱いものが使用される場合が多く、従って、そのままでは使用が困難であるので、通常は、この金属線とガラスファイバーなどの補強材料を引揃えて使用する。また、少し、製造コストが高くなるが、軟磁性体ファイバーをストレート状に保持しながら、補強ファイバーやテープ等を加撚し、全体を糸状にして強度を与えて使用する。
（失活化、非能動化する糸状体）
磁化機能と消磁機能の両機能を与えるために、軟磁性体ファイバーｆと半硬質磁性ファイバーを合わせて使用し、更に、ガラスファイバーやテープ等の補強材料を加えて強度を十部に与えて芯糸線１を形成するのが良い。
【００５１】
そして被覆ファイバーＦの外径は０．４〜０．５ｍｍの範囲であるが、この外径は、通常販売されている取付具（タグピン、あるいは商品名：ロックス）に使用されてフィラメントと同等のものであり、前記取付具の取付けに使用されている取付装置（ガン等）を使用して普通の取付具と同様に衣類等の商品に表示札を固定したり、スリッパのような複数の商品をまとめたりできるようにしておくのが良い。
【００５２】
この芯材表面へのプラスチックの被覆工程は、下記に例示するように、あたかも細いエナメル線を製造する工程のように、かなりの高速で、効率的に製造することができる。
【００５３】
図２は、軟磁性体ファイバーｆの浸漬コーティング工程を示すものであって、不活性雰囲気にある容器８の中で６６ナイロン等のプラスッチック材料を所定温度で加熱溶融して溶融液９とし、この溶融液９の中にファイバーを含む芯糸材１をガイドロールＲ１，Ｒ２，Ｒ３，Ｒ４・・で所定の経路に案内して浸漬しながら、表面にコーティングを行なう。そして冷却装置１０において被覆直後の被覆ファイバーＦを空冷等で冷却した後、図示しない巻取工程において巻き取る。
【００５４】
図３は、軟磁性体ファイバーを含む芯糸材１に加熱溶融したプラスチックを高圧で噴霧して被覆する工程を示すもので、多数のノズル１２、１２ａを設置した処理室１３の中に芯糸材１を送入してコーティング処理するようになっている。また、この処理室１３の内部はダクト１４、１４ａにより所定の温度の給気と排気が行なわれて雰囲気がコーティングに適した状態に調節されている。
【００５５】
そしてこの処理室１３の入口より軟磁性体ファイバーｆを含む芯糸材１を送入し、移動させている間に溶融されたプラスチックを高圧で噴霧して、この芯糸材１の周囲をプラスチックで所定の厚さに被覆し、次に、図示しない冷却装置で冷却して被覆ファイバーＦを製造するものてある。
【００５６】
図４は、前記図１〜３のコーティング工程で製造された被覆ファイバーＦの構造を示している。
【００５７】
図４（Ａ）は１本の太めの軟磁性体ファイバーｆの周囲にプラスチック（例えば、６６ナイロン）の被覆層ｐを形成した基本的な被覆ファイバーＦを示している。また、図４（Ｂ）は、軟磁性体ファイバーｆと、半硬質磁性材料ファイバーｆｈからなる芯糸材１をプラスッチックの被覆層ｐを形成した「失活化」機能をもつ被覆ファイバーＦを示している。
【００５８】
また、図４（Ｃ）は、前記軟磁性ファイバーｆと半硬質磁性材ファイバーｆｈと更に補強用として加えられたガラスファイバーｇ等の補強材からなる糸状体の芯材１ａの周囲にプラスチックの被覆層ｐを形成した被覆ファイバーＦを示している。    更に、図４（Ｄ）は、軟磁性ファイバーｆと半硬質磁性ファイバーｆｈと、熱溶着糸ｆｍとの複合糸からなる芯糸材１ａにプラスッチックの被覆層ｐを形成した被覆ファイバーＦを示している。
【００５９】
図５（Ｅ、Ｆ）は、前記特開平１１─１９５９１９号に記載された、撚糸形の軟磁性体ファイバーを芯糸材１ｂとして使用し、これに本発明のコーティング処理をして製造した被覆ファイバーＦｓの例を示している。
【００６０】
図４（Ｅ）は、軟磁性体ファイバーｆと熱溶着糸ｆｍからなる糸ｆｄ（複合糸）を、布テープや平糸からなるカバー材Ｃで被覆した芯糸材１ｂを使用したもので、この芯糸材１ｂを図１〜図３に示したコーティング処理装置を使用し、この芯糸材１ｂの周囲にプラスチックで被覆層ｐを有する被覆ファイバーＦｓとしたものである。
【００６１】
この構造の被覆ファイバーＦｓは、このカバー材Ｃによりマーカー用磁性体、即ち、軟磁性体ファイバーｆの存在を隠蔽を、また、この軟磁性体ファィバーｆが露出して指先や商品を損傷するのを防止する。
【００６２】
図４（Ｆ）は、前記図４（Ｅ）とぼぼ同様な構造の被覆ファイバーＦｓを示しているが、これには軟磁性体ファイバーｆと熱溶着糸ｆｍと、更に、テープ状ないし糸状の補強材ｇを沿わせてたストレートなものに、カバー材Ｃで加撚して被覆し、その後、その周面に溶融したプラスチックで被覆層ｐを形成して被覆ファイバーＦｓとしたものである。
【００６３】
前記図４（Ｂ〜Ｆ）に示す被覆ファイバーＦ、Ｆｓを使用した取付具は、軟磁性体ファイバーｆは半硬質磁性材料ｆｈが含まれ、その外周面がプラスチックの被覆層ｐで覆われているため、レジ等の正規のルートを通る際に、この半硬質磁性材料ｆｈを永久磁石等の磁界を通過させて磁化させて、軟磁性体ファイバーｆのを失活化し、感知システムでは感知できなくなるようにすることができるようになる。
【００６４】
前記軟磁性体ファイバーｆに熱溶着糸ｆｍを沿わせ、全体をカバー材Ｃで被覆処理した後に、乾熱処理することにより、この熱溶着糸ｆｍを溶着させて軟磁性体ファイバーｆと補強材ｇ等をカバー材Ｃで被覆したものを一体化し、軟磁性体ファィバーｆの抜け落ち防止と、露出防止を図った芯糸材１、１ａ、１ｂを使用し、更に、６６ナイロン等のプラスチックの外周被覆層ｐにより強度を向上させ、全体として１本のプラスチックのフィラメント、あるいはブリッスルのように形成することができる。
【００６５】
軟磁性体ファイバーｆを補強する糸状の補強材は、軟磁性体ファイバーｆより太いことが好ましい。そして、これには各種プラスチック繊維や天然繊維からなる集束フィラメント、あるいは撚線フィラメント、熱溶着糸、スフや低弾性率のレーヨン繊維等を用いることができる。また、熱溶着糸ｆｍは、１００〜２００ｄ（デニール）程度の太さで、溶着温度が１００℃程度の低融点のプラスチック材料を使用する。
【００６６】
また、カバー材Ｃは、軟磁性体ファイバーｆや補強材ｇや半硬質磁性材料ｆｈや熱溶着糸ｆｍ等の周囲を被覆するもので、機械的及び視覚的にこれらを保護する機能を有し、ナイロンやポリエステル等の合成繊維や天然繊維を使用した糸やテープ状のものを使用できる。
【００６７】
また、このカバー材Ｃとしては、種々の材料で構成された金糸や銀糸も使用でき、この金糸や銀糸を例にした場合には、特にポリエステル等の高分子フィルムの片面にアルミニウムを真空蒸着したものが好ましく、また、青色、赤色、緑色等の任意の着色をしてメタリック調にしたものも使用できる。これらの色彩等は装飾効果のみならず、商品のサイズや種類や材質等の識別に利用することもできる。
【００６８】
そして、軟磁性体ファイバーｆ等やコアとしての軟磁性体ファイバーｆに沿わせたガラスファイバー等の補強材ｇを１種類のカバー材Ｃでシングルスパイラル状に巻いたり、２種類のカバー材Ｃを交互に隙間無くダブルスパイラル状に巻いたり、あるいは、金糸や銀糸等を３条以上使用して、これらの複数条の金糸等を一定の方式にしたがって、斜め、前後、上下に交差させて、打ち込みによって締めて、組紐構造にしたりして、カバー材で被覆しても良い。
（第１の実施の形態：タグピン）
図５は、本発明の第１の実施の形態に係る表示札等の取付具としての「タグピンＴ」を示すもので、本発明に係る被覆ファイバーＦの一端に平板状の頭部ｈを、他端に短い横棒部ｂを成形工程で固定しているが、これは、前記被覆ファイバーＦを金型内に介在させたインサート成形工程において頭部ｈと横棒部ｂを成形と同時に一体的に固定したものである。
【００６９】
このタグピンＴを製造する場合は、金型内に多数の被覆ファイバーＦを平行に並べ、頭部ｈと横棒部ｂとを所定の間隔をおいて前記被覆ファイバーＦを中央に挟んだ状態で同時に成形する（図６参照）。そして、この被覆ファイバーＦを所定の距離だけ間欠的に移動させて大量のタグピンＴを連続的に製造するのである。
【００７０】
タグピンＴは、通常は１００〜２００本が集合体として製造され、これを取付装置に装填して１本づつ打ち込まれる。
【００７１】
このようなタグピンＴの集合体Ａを製造する場合について説明すると、図６に示すように、被覆ファイバーＦを中心部材として、これに所定間隔をおいて頭部ｈと横棒部ｂを配置したタグピンＴを多数並列した状態でインサート成形することになるが、この場合、２枚の頭部ｈの間を細いフィラメント状の連結部ｃを介して切断可能に連結する。
【００７２】
そして横棒部ｂの近傍に連結棒Ｂを、被覆ファイバーＦを貫通させた状態で成形する。この連結棒Ｂと横棒部ｂとの間は、取付装置の切断刃により打ち込み時に切断できる連結部ｋで連結されている。
【００７３】
この集合体Ａは、周知のように取付装置の装填孔に前記連結棒Ｂを差し込んだ状態でタグピンＴを１本づつ打ち出すことができる。
【００７４】
一方、前記タグピンＴを構成する被覆ファイバーＦは、横棒部ｂに直交するように一体的に成形される（図５、Ａ）。しかし、この横棒部ｂの直径は０．６〜１，０ｍｍのものであるので、単にこの被覆ファイバーＦが横棒部ｂに固定されただけでは結合力が弱いものである。
【００７５】
そこで、図７のように被覆ファイバーＦの先端部Ｆｓを横棒部ｂを成形するキャビティの中の中途部まで引っ張り込んだ状態で切断しておき、その後の樹脂を注入する工程で横棒部ｂを成形するのである。この被覆ファイバーＦが横棒部ｂに埋め込まれる先端部Ｆｓの長さは、横棒部ｂの約半分程度で、直線部分に対してＬ形にするのが良い。なお、横棒部ｂの内部に被覆ファイバーＦを埋め込んだ状態で成形する連続成形方法については、別途、特許出願してあるが、ここでは説明しない。  また、被覆ファイバーＦを図７（Ａ）のように横棒部ｂの中に埋め込む場合は、この横棒部ｂの直径が０．８ｍｍ程度の極めて細いものであるので、極めて精密な成形加工を必要とする。そこで、この被覆ファイバーＦの埋め込みを簡略化するたに、図７（Ｂ）に示すように、横棒部ｂにフィラメント部ｄと拡大部ｋを一体的に成形することによって、この拡大部ｋ内に被覆ファイバーＦの先端部ｆ１を埋め込むようにして固定する構造を採用すると良い。
【００７６】
この拡大部ｋの長さを任意に選定できるので、フィラメント部ｄと被覆ファイバーＦとの接着強度を調整することができる。
【００７７】
このタグピンＴは、図８に示すように、公知の取付装置（タグガン）を使用して横棒部ｂと被覆ファイバーＦの一部を衣類などの商品Ｇを貫通させ、横棒部ｂを裏側に位置させることによって表示札Ｄｓを取付けることができる。
（第２の実施の形態：環状連結体Ｌ）
図１０は、本発明の第２の実施の形態に係る表示札Ｄｓの取付具として「環状連結体Ｌ（商品名：ロックス）」を示すもので、マーカー用磁性体、即ち、軟磁性体ファイバーｆを含む糸状体を芯材１としてその表面にプラスチックの被覆層ｐ（図４参照）を設けた被覆ファイバーＦを使用したものを示している。
【００７８】
この表示札等取付具である環状連結体Ｌは、被覆ファイバーＦの一端側にナイロン等のプラスチックを成形した係合雄部２０を、他端側に係合雌部２１をそれぞれ設けており、この係合雄部２０を係合雌部２１の孔の中に挿入し、その孔の中に形成された環状突起（図１０参照）に係合させて、被覆ファイバーＦをリング状に連結するように構成している。
【００７９】
なお、この環状連結体Ｌの構成材料として被覆ファイバーＦを使用する場合は、前記のようにインサート成形によって、被覆ファイバーＦと係合雄部２０と係合雌部２１とが、しっかりと固定できる連結構造とすることが必要である。
【００８０】
この環状連結体Ｌの係合雄部２０と係合雌部２１は、図１０（Ａ）に示すように互いに嵌合してループを形成して表示札Ｄｓを衣類等の商品Ｇに取り付けることができる。
【００８１】
この係合雄部２０と係合雌部２１は、表示札Ｄｓが衣類などの商品Ｇに、一旦取り付けられた後は、持ち運び時や梱包及び移送時において容易に外れないように、また、手操作では簡単に破断できないような引張強さを持つような構造（図１０、Ｂ）、寸法に成形され、また、切断や破壊した場合にはその痕跡が残るように形成される。
【００８２】
この実施の形態に使用する図４に示す被覆ファイバーＦの一例を示すと、次の通りである。
【００８３】
軟磁性体ファイバーｆの材料として、５，０００以上に高透磁率を示すＣＯ−Ｆｅ−Ｓｉ−Ｂ系の１００μｍφのアモルファス金属ファイバーで形成し、これを２００ｄの熱溶着糸ｆｍと、２００ｄのナイロンの集束フィラメントからなる補強材ｇと、更に、Ｆｅ−Ｃｏ−Ｖ系の保磁力約９，５５０Ａ／ｍ（１２０Ｏｅ）の８０μｍφの消磁状態にある半硬質磁性材料ｆｈと共に、１，０００ｄのポリエチレンテレフタレート糸の２本のカバー材Ｃとしてスパイラル状に被覆して芯材１の素材とし、その後に１２０℃で３０分間の乾熱処理して、糸状の、マーカー用磁性体を内蔵した芯糸材１とする。
【００８４】
次に、この糸状の芯糸材１を、図１〜３等の被覆装置を使用し、その表面に６６ナイロンｐの被覆層を形成して被覆ファイバーＦを完成するのである。
【００８５】
図１０（Ｂ）は、環状形の表示札取付具Ｌの係合部等の一例を示すもので、被覆ファイバーＦの一端に形成された係合雄部２０と、他端に形成された係合雌部２１は、係合雌部２１の貫通孔内に形成されている環状突起部の内径を通過できる係合雄部２０と、この係合雄部２０の後方に延長された弾性的に拡縮可能な係合羽と、この係合羽の後方に設けられ、環状突起部より拡大したストッパー部ｓとを有して形成される。
【００８６】
この係合雄部２０においては、頭部ｔとストッパー部ｓと球状に拡大された連結部ｒを有し、また、係合雌部２１側にも同様な連結部ｒが形成され、この連結部ｒで被覆ファイバーＦを接合している。
【００８７】
この係合雄部２０と係合雌部２１の係合強度は、表示札ＤＰ等が簡単に外されて入れ替えられないように、一度係合した後で無理やり引張って係合を外した時には、係合雄部２０又は係合雌部２１が破損して、再度の係合ができないように形成される。一般的にいえば、係合雌部２１と係合雄部２０とを係合させた強度は、６〜７Ｋｇ程度であり、簡単に手で引っ張って切断できないものである。
【００８８】
なお、図１０（Ｂ）に示すように、係合雄部２０と被覆ファイバーＦとの係合雌部２１と被覆ファイバーＦとの接続部には、鎖線で示すように断面を縮小して係合雄部２０と係合雌部２１の係合強度よりも弱くした破断部を設ける場合もある。この構成によれば、破断部を曲げたり、捩じったりして、係合雄部２０又は係合雌部２１を被覆ファイバーＦから簡単に切り離し、商品Ｇから表示札５等を外すことができる。
【００８９】
図１１は前記被覆ファイバーＦを使用した環状形の表示札取付具Ｌの変形例を示すもので、図１１（Ａ、Ｂ）は係合雌部２１に角型の嵌合孔を、図１１（Ｃ、Ｄ）は円形の嵌合孔を設けたものをそれぞれ示している。この例の表示札取付具Ｌの場合には被覆ファイバーＦと係合雄部２０とはＴ型に接合されている。また、前記図１０（Ｂ）に示したものにおいては、係合雄部２０と被覆ファイバーＦとは直線状に接合されている。
【００９０】
この係合雄部２０と被覆ファイバーＦとの接合状態の相違は、この表示札取付具Ｌを環状に係合させた時、被覆ファイバーＦが描く円弧の形状に関係するものであるが、図１０に示したものの方が係合雄部２０と被覆ファイバーＦとの接合強度が大である点において優れている。
（第３の実施の形態：表示札等取付具の集合体）
次に、マーカー用磁性体を内蔵した被覆ファイバーＦを使用した表示札等取付具Ｌの集合体Ａについて説明する。
【００９１】
先ず、図１２に示す表示札等取付具Ｌの集合体Ａは、偏平な板状の第１連結棒３０と第２連結棒３１との間に多数の表示札等取付具Ｌを直交して平行に配置し、この第１の連結棒３０と係合雌部２１との間を、細い断面の切断部３３を形成した連結部３４を介して切断可能に連結する。そして係合雄部２０側も切断部３３を形成した連結部３４で連結し、多数の取付具Ｌを２本の連結棒３０、３１の間に切断可能に、平行に支持して、全体として平板状な集合体Ａを構成している。
【００９２】
この取付具集合体Ａを使用する際は、公知の取付装置（例えば、特開平１１−４９１２５号公報参照）によって取付具Ｌを打出して図１０（Ａ）に示すようにこの取付具Ｌを環状に連結して商品Ｇに表示札Ｄｓを取付ける。この連結操作は前記取付装置のレバーの握り操作によってワンタッチでできるので、素早く表示札Ｄｓを商品Ｇに取付けることができる。
【００９３】
また、図１３はマーカー用磁性体である軟磁性ファイバーｆなどからなる糸状体を芯体使用した被覆ファイバーＦを使用した表示札等取付具Ｌを平板状に連結した集合体Ｂを示すもので、多数の表示札等取付具Ｌを平行に配置し、係合雄部２０と係合雌部２１の側部の中間位置に、枕木状に連結棒３２、３３を渡し、切断部３５を形成した連結部３６で、前記連結棒３２、３３と取付具Ｌとの間に小間隔をおいて、切断可能に連結して集合体Ｂを構成している。
【００９４】
図１２に示した表示札等取付具Ｌの集合体Ａと、この図１３に示した集合体Ｂとを比較すると、前者においては、連結棒３０、３１が表示札等取付具Ｌの延長方向に配置されているが、後者においては、連結棒３２、３３が枕木状に配置されているという相違点がある。この相違点は、連結棒３０、３１，３２、３３より個々の表示札等取付具Ｌを取り外す手段が取付装置で若干異なっているが、この相違は本質的なものではない。
【００９５】
図１２に示すように取付具Ｌの集合体Ａの構成にすると、ガンタイプの取付装置への装填は、シート状の連続体として並んだ表示札等取付具Ｌの被覆ファイバーＦの部分をＵ字形状にして取付装置の外部に配置したまま、係合雄部２０と係合雌部２１を装填できる。また、先端側に送る時も、被覆ファイバーＦをＵ字形状にしたまま送ることができるので、もつれることがない。
【００９６】
また、図１２に示す取付具Ｌの集合体Ａでは、係合雄部２０の後端に切断部３３や連結部３４が配置されない構成にすることができるので、取付装置における係合雄部２０を送り出す機構として、レバー操作によって前進する突き出しロッドで係合雄部２０の後端を押圧して中空針から送り出す機構を採用でき、この打出し機構を簡略化できる。
【００９７】
【発明の効果】
以上説明したように、マーカー用磁性体である軟磁性ファイバーｆを有する被覆ファイバーＦを糸状の連結部として使用し、その一端側に第１部材を、他方の端部に第２部材をそれぞれ設けている。
【００９８】
第１部材を板状の頭部ｈとし、第２部材を横棒部ｂとすると、表示札等取付具Ｔを「タッグピンＴ」とすることができる。
【００９９】
また、第１部材を係合雄部に、第２部材を係合雌部とすると、「環状連結具（商品名：ロックス）」とすることができる。
【０１００】
そして、次の効果を奏することができる。
【０１０１】
１．軟磁性ファイバーｆは、ガラスファイバーや他の繊維等の補強材ｇ、更に軟磁性体ファイバーｆと半硬質磁性ファイバーｆｈと共に引き揃えて糸状体からなる芯材１を形成し、その表面にプラスッチックの被覆層ｐを形成して被覆ファイバーＦを構成しているので、その被覆ファイバーＦの強度が増している。
【０１０２】
従って、軟磁性ファイバーｆを使用しない通常の表示札等取付具に比較して、同様あるいはそれ以上の強度を有している。
【０１０３】
また、取付具がタッグピンの場合、横棒部ｂと被覆ファイバーＦと、更に頭部ｈの接続部の強度が強くなる。このことは、取付装置を使用してタッグピンである表示札を商品に打込む際に、横棒部ｂと被覆ファイバーＦとの角度が変化（９０°〜３０°程度）しても、元の直角の状態に弾性的に復元して、商品に素早く固定できることから、取付具が脱落することがない。しかも、従来から使用されている取付具と同様に取付装置で取付けることができる。
【０１０４】
２．取付具が被覆ファイバーＦを中心部材として、その両端に第１部材と第２部材を設けているので、第１部材と第２部材との接合が強力になり、従来の装置を使用して取付ることができる。
【０１０５】
３．また、被覆する樹脂と同じ樹脂を第１部材と第２部材に使用すると、従来のタグピン等の取付具と全く同様な外観となり、マーカー用磁性体の有無を判別できなく、隠蔽性が著しく向上する（セキュリティ性が大）。
【０１０６】
４．被覆ファイバーＦの色を、第１部材と第２部材とは変えることができるので商品の品質や用途などを表示することができる。
【０１０７】
５．そして、これらのマーカー用磁性体を有する被覆ファイバーＦをタッグピン等の表示札等取付具の構成部材として使用することによって、感知ゲート内で検出されるのに、十分な長さを容易に確保でき、磁気式の盗難防止用ゲート内に発生した交番磁界中で容易に磁化して、ゲート内の検出コイルに検出信号を発生することができる。
【０１０８】
その上、糸状体、テグス状、あるいはブリッスル状の被覆ファイバーＦは、外観的には通常の糸状体を同じであり、隠蔽性が高いので、このマーカー用磁性体を有する表示札等取付具で商品等に表示札を取り付けた時に違和感がなく、マーカー用磁性体の存在を消費者等に感じさせることがない。
【０１０９】
６．軟磁性ファイバーｆを必須の構成部材とする糸状体は、プラスッチック層ｐ（外皮）で保護されているので、汚れに強く、腰があり、見栄えも良く、優れた表示札等取付具を製造することができる。
【図面の簡単な説明】
【図１】被覆ファイバーの製造工程の説明図である。
【図２】被覆ファイバーの製造工程の説明図である。
【図３】被覆ファイバーの製造工程の説明図である。
【図４】各種の被覆ファイバーの構造を示す図である。（Ａ）は、軟磁性ファイバーを単糸で使用したもの、（Ｂ）は軟磁性ファイバーと半硬質磁性ファイバーとからなるもの、（Ｃ）は、軟磁性ファイバーと半硬質磁性ファイバーと、更に補強ファイバーなどを使用したもの、（Ｄ）は、軟磁性ファイバーと半硬質磁性ファイバーと溶着ファイバーなどを使用したものをそれぞれ示している。また、（Ｅ）と（Ｆ）とは、軟磁性ファイバーと半硬質磁性ファイバーと溶着ファイバーからなる複合糸を中心として各種のカバー材を巻き、更に、その表面をプラスッチックで被覆層を形成した被覆ファイバーを示している。
【図５】タッグピン型の表示札等の取付具であって、（Ａ）は正面図を、（Ｂ）は同側面図を示している。
【図６】タッグピン型の表示札の取付具の集合体を示しており、（Ａ）は正面図、（Ｂ）は側面図である。
【図７】タッグピン型の取付具の横棒部のファイバーの配置状態の説明図、（Ｂ）は横棒部の中間より延長されているフィラメント部に拡大部を形成し、これによって被覆ファイバーを接合した取付具の説明図である。
【図８】タッグピン型の取付具で商品に表示札を取付た状態を示す斜視図である。
【図９】環状連結型の取付具を示すもので、（Ａ）は正面図、（Ｂ）は同側面図である。
【図１０】（Ａ）は、環状連結型の取付具で商品に表示札を取付た状態の説明図、（Ｂ）は係合部の構造を示す断面図である。
【図１１】環状連結型の取付具を示すもので、（Ａ）は、角形の嵌合孔を持つ取付具の正面図、（Ｂ）は、同平面図である。そして（Ｃ）は、丸形の嵌合孔を持つ取付具の平面図、（Ｄ）は一部を断面した正面図である。
【図１２】（Ａ）は環状連結具を２本の連結棒で連結した平板状の集合体の正面図、（Ｂ）は同Ｘ−Ｘ断面図である。
【図１３】（Ａ）は環状連結具を２本の連結棒で枕木状に連結した集合体の正面図、（Ｂ）は同側面図である。
【符号の説明】
１  芯糸材      ２  ダイス      ３  供給孔        ３ａ  ガイド孔
４  コート孔      ９  溶融プラスッチック      １０  冷却装置
１２  ノズル      ２０  係合雄部        ２１  係合雌部
ｂ  横棒部        ｃ  連結部        ｆ  軟磁性ファイバー
ｆｈ  半硬質磁性体ファイバー        ｆｍ  熱溶着ファイバー
ｆｔ  補強材      ｐ    プラスッチックの被覆層
ｇ  ガラスファイバー          ｈ  頭部
Ｂ  連結棒      Ｄｓ  表示札          Ｆ  被覆ファイバー
Ｇ  商品        Ｌ  環状連結体        Ｔ  タッグピン
【図１】
2004184774.tif 000003
【図２】
2004184774.tif 000004
【図３】
2004184774.tif 000005
【図４】
2004184774.tif 000006
【図５】
2004184774.tif 000007
【図６】
2004184774.tif 000008
【図７】
2004184774.tif 000009
【図８】
2004184774.tif 000010
【図９】
2004184774.tif 000011
【図１０】
2004184774.tif 000012
【図１１】
2004184774.tif 000013
【図１２】
2004184774.tif 000014
【図１３】
2004184774.tif 000015